(57)【要約】【課題】不法にコピーされる虞がなく、しかも、どこででも自由にコンテンツを表示（再生）することができるコンテンツ販売・表示方法を提供する。【解決手段】コンテンツ販売・表示方法は、コンテンツ・サーバ２０、パーソナル・ストレージ手段２１、情報端末機器１０、並びに、コンテンツ表示装置１１を用い、コンテンツ購入の表示を情報端末機器１０からネットワーク３０，３１を経由して受領したコンテンツ・サーバ２０は、購入されたコンテンツをネットワーク３１を経由してパーソナル・ストレージ手段２１に送出し、ここで該コンテンツを記録、保存し、コンテンツの表示依頼をコンテンツ表示装置１１からネットワーク３０，３１を経由して受領したパーソナル・ストレージ手段２１は、ストリーミング方式に基づきネットワーク３０，３１を経由して該コンテンツをコンテンツ表示装置１１に送出し、該コンテンツを表示（再生）する。【選択図】  図１
2006039769.tif 000002
【特許請求の範囲】
【請求項１】
（Ａ）ネットワーク内に配置され、コンテンツを記録、保存したコンテンツ・サーバ、
（Ｂ）ネットワーク内に配置され、コンテンツを記録、保存するパーソナル・ストレージ手段、
（Ｃ）情報端末機器、並びに、
（Ｄ）コンテンツ表示装置、
を用いたコンテンツ販売・表示方法であって、
（ａ）コンテンツ購入の表示を情報端末機器からネットワークを経由して受領したコンテンツ・サーバは、購入されたコンテンツをネットワークを経由してパーソナル・ストレージ手段に送出し、パーソナル・ストレージ手段は該コンテンツを記録、保存し、
（ｂ）コンテンツの表示依頼をコンテンツ表示装置からネットワークを経由して受領したパーソナル・ストレージ手段は、ストリーミング方式に基づきネットワークを経由して該コンテンツをコンテンツ表示装置に送出し、コンテンツ表示装置において該コンテンツを表示することを特徴とするコンテンツ販売・表示方法。
【請求項２】
（Ａ）ネットワーク内に配置され、コンテンツを記録、保存したコンテンツ・サーバ、
（Ｂ）ネットワーク内に配置され、コンテンツを記録、保存するパーソナル・ストレージ手段、
（Ｃ）情報端末機器、
（Ｄ）コンテンツ表示装置、並びに、
（Ｅ）ネットワーク内に配置され、コンテンツ販売可能数量を記録、保存したディストリビュータ・サーバ、
を用いたコンテンツ販売・表示方法であって、
（ａ）コンテンツ購入の表示を情報端末機器からネットワークを経由して受領したディストリビュータ・サーバは、記録、保存されたコンテンツ販売可能数量に基づき該コンテンツの販売が可能か判断し、該コンテンツの販売が可能な場合、記録、保存されたコンテンツ販売可能数量を更新し、ディストリビュータ・サーバからの指示に基づき、コンテンツ・サーバは、購入されたコンテンツをネットワークを経由してパーソナル・ストレージ手段に送出し、パーソナル・ストレージ手段は該コンテンツを記録、保存し、
（ｂ）コンテンツの表示依頼をコンテンツ表示装置からネットワークを経由して受領したパーソナル・ストレージ手段は、ストリーミング方式に基づきネットワークを経由して該コンテンツをコンテンツ表示装置に送出し、コンテンツ表示装置において該コンテンツを表示することを特徴とするコンテンツ販売・表示方法。
【発明の詳細な説明】
【技術分野】
【０００１】
本発明は、コンテンツ販売・表示方法に関する。
【背景技術】
【０００２】
図２に概念図を示すような、公衆通信網３０とインターネット３１（これらを纏めて、ネットワーク３０，３１と呼ぶ場合がある）内に配置され、音楽や映像といった種々のコンテンツを記録、保存したコンテンツ・サーバ２０と、情報端末機器１０とを用いたコンテンツ販売方法が確立されている。このコンテンツ販売方法においては、コンテンツ購入の表示（購入の意思表示）を情報端末機器１０からネットワーク３０，３１を経由して受領したコンテンツ・サーバ２０は、購入されたコンテンツをネットワーク３０，３１を経由して情報端末機器１０に送出し、情報端末機器１０においてこのコンテンツを記録、保存する。即ち、コンテンツは、コンテンツ・サーバ２０から情報端末機器１０へとダウンロードされる。そして、情報端末機器１０に記録、保存されたコンテンツを、情報端末機器１０において表示（再生）する。
【発明の開示】
【発明が解決しようとする課題】
【０００３】
このような従来のコンテンツ販売方法にあっては、購入されたコンテンツはコンテンツ・サーバ２０から情報端末機器１０へとダウンロードされる。従って、ダウンロードされたコンテンツが他の情報端末機器等に不法にコピーされる虞がある。また、情報端末機器１０に記録、保存されたコンテンツは、その情報端末機器１０においてのみ表示（再生）することができる。従って、コンテンツを表示（再生）する情報端末機器が限定されてしまい、どの情報端末機器（あるいはコンテンツ表示装置）においても、どこででも、自由にコンテンツを表示（再生）することができないといった不便さがある。
【０００４】
従って、本発明の目的は、コンテンツが不法にコピーされる虞がなく、しかも、どのコンテンツ表示装置においても、どこででも、自由にコンテンツを表示（再生）することができるコンテンツ販売・表示方法を提供することにある。
【課題を解決するための手段】
【０００５】
上記の目的を達成するための本発明の第１の態様に係るコンテンツ販売・表示方法は、
（Ａ）ネットワーク内に配置され、コンテンツを記録、保存したコンテンツ・サーバ、
（Ｂ）ネットワーク内に配置され、コンテンツを記録、保存するパーソナル・ストレージ手段、
（Ｃ）情報端末機器、並びに、
（Ｄ）コンテンツ表示装置、
を用いたコンテンツ販売・表示方法であって、
（ａ）コンテンツ購入の表示（コンテンツ購入の意思表示）を情報端末機器からネットワークを経由して受領したコンテンツ・サーバは、購入されたコンテンツをネットワークを経由してパーソナル・ストレージ手段に送出し、パーソナル・ストレージ手段は該コンテンツを記録、保存し、
（ｂ）コンテンツの表示依頼（再生依頼）をコンテンツ表示装置からネットワークを経由して受領したパーソナル・ストレージ手段は、ストリーミング方式に基づきネットワークを経由して該コンテンツをコンテンツ表示装置に送出し、コンテンツ表示装置において該コンテンツを表示（再生）することを特徴とする。
【０００６】
上記の目的を達成するための本発明の第２の態様に係るコンテンツ販売・表示方法は、
（Ａ）ネットワーク内に配置され、コンテンツを記録、保存したコンテンツ・サーバ、
（Ｂ）ネットワーク内に配置され、コンテンツを記録、保存するパーソナル・ストレージ手段、
（Ｃ）情報端末機器、
（Ｄ）コンテンツ表示装置、並びに、
（Ｅ）ネットワーク内に配置され、コンテンツ販売可能数量を記録、保存したディストリビュータ・サーバ、
を用いたコンテンツ販売・表示方法であって、
（ａ）コンテンツ購入の表示（コンテンツ購入の意思表示）を情報端末機器からネットワークを経由して受領したディストリビュータ・サーバは、記録、保存されたコンテンツ販売可能数量に基づき該コンテンツの販売が可能か判断し、該コンテンツの販売が可能な場合、記録、保存されたコンテンツ販売可能数量を更新し、ディストリビュータ・サーバからの指示に基づき、コンテンツ・サーバは、購入されたコンテンツをネットワークを経由してパーソナル・ストレージ手段に送出し、パーソナル・ストレージ手段は該コンテンツを記録、保存し、
（ｂ）コンテンツの表示依頼（再生依頼）をコンテンツ表示装置からネットワークを経由して受領したパーソナル・ストレージ手段は、ストリーミング方式に基づきネットワークを経由して該コンテンツをコンテンツ表示装置に送出し、コンテンツ表示装置において該コンテンツを表示（再生）することを特徴とする。
【０００７】
本発明の第１の態様あるいは第２の態様に係るコンテンツ販売・表示方法（以下、これらを総称して、単に、本発明と呼ぶ場合がある）において、情報端末機器として、携帯電話や携帯式電子メール端末といった移動体携帯端末、通信手段を備えたパーソナル・コンピュータ、ゲーム機、ＰＤＡ（携帯情報端末，Personal Digital Assistant）といった端末機器を挙げることができる。また、コンテンツ表示装置として、コンテンツを表示（再生）する機能を有する携帯電話や携帯式電子メール端末といった移動体携帯端末、コンテンツを表示（再生）する機能及び通信手段を備えたパーソナルコンピュータ、ゲーム機、ＰＤＡといった端末機器、コンテンツを表示（再生）する機能及び通信手段を備えた専用表示（再生）機器を挙げることができる。尚、情報端末機器とコンテンツ表示装置とは同じものであってもよいし、異なるものであってもよい。
【０００８】
本発明におけるコンテンツ・サーバやパーソナル・ストレージ手段、ディストリビュータ・サーバ（以下、これらを総称して、コンテンツ・サーバ等と呼ぶ場合がある）は、通常のサーバ（例えば、適切なオペレーション・システム（ＯＳ）を備えたデータベース・サーバ）から構成、構築すればよい。尚、パーソナル・ストレージ手段は、情報端末機器の所有者、あるいは、コンテンツ表示装置の所有者、あるいは、情報端末機器及びコンテンツ表示装置の所有者に固有のものである。尚、このような者を、便宜上、パーソナル・ストレージ手段保持者と呼ぶ。但し、パーソナル・ストレージ手段の保持、管理、運営は、パーソナル・ストレージ手段保持者が行わず、別の者あるいは組織、企業が行ってもよい。パーソナル・ストレージ手段、あるいは、パーソナル・ストレージ手段の集合体であるサーバには、パーソナル・ストレージ手段保持者の識別子、暗証番号等を、予め、登録しておくことが望ましい。
【０００９】
本発明におけるコンテンツとして、音楽、楽曲といった音声データ；静止画や動画といった映像データ；音声データと映像データの組合せ；ゲームに相当するデータを例示することができる。コンテンツの作成者等がコンテンツをコンテンツ・サーバにアップロードすることで、コンテンツをコンテンツ・サーバに記録、保存することができる。あるいは又、コンテンツの作成者等がコンテンツをコンテンツ・マスターサーバにアップロードし、コンテンツ・マスターサーバからコンテンツ・サーバにコンテンツをコピーすることで、コンテンツをコンテンツ・サーバに記録、保存することができる。
【００１０】
コンテンツ購入の表示を情報端末機器からネットワークを経由してコンテンツ・サーバあるいはディストリビュータ・サーバに送出するとき、あるいは、送出した後、ネットワークにおけるパーソナル・ストレージ手段のアドレス（以下、パーソナル・ストレージ手段のアドレスと呼ぶ）をコンテンツ・サーバあるいはディストリビュータ・サーバに送出してもよいし、コンテンツ・サーバあるいはディストリビュータ・サーバに、予め、パーソナル・ストレージ手段のアドレスを登録しておいてもよい。後者の場合、パーソナル・ストレージ手段のアドレスと併せて、パーソナル・ストレージ手段保持者の識別子、暗証番号等もコンテンツ・サーバあるいはディストリビュータ・サーバに、予め、登録しておくことが望ましい。
【００１１】
本発明におけるネットワークとして、インターネットを含む通信事業者が運用する公衆通信網を挙げることができる。尚、コンテンツ・サーバ等がネットワーク内に配置されているとは、情報端末機器やコンテンツ表示装置とコンテンツ・サーバ等とがネットワークを介して各種データの授受（受け渡し）を行い得る状態に、コンテンツ・サーバ等が置かれていることを意味する。
【発明の効果】
【００１２】
本発明にあっては、購入されたコンテンツは、コンテンツ・サーバからネットワークを経由してパーソナル・ストレージ手段にコピーされ、このコンテンツは、片方向のストリーミング方式に基づきネットワークを経由してコンテンツ表示装置に送出され、コンテンツ表示装置において表示（再生）される。従って、コンテンツがコンテンツ表示装置にダウンロードされることが無く、コンテンツが不法にコピーされる虞がない。しかも、パーソナル・ストレージ手段からネットワークを経由してコンテンツ表示装置に送出され、表示（再生）されるので、どこででも、自由に、コンテンツ表示装置に依存することなく、コンテンツを表示（再生）することができる。
【発明を実施するための最良の形態】
【００１３】
以下、図面を参照して、実施例に基づき本発明を説明する。
【実施例１】
【００１４】
実施例１は、本発明の第１の態様に係るコンテンツ販売・表示方法に関する。実施例１のコンテンツ販売・表示方法において用いるシステム（装置）の概念図を図１の（Ａ）に示す。
【００１５】
実施例１のコンテンツ販売・表示方法においては、
（Ａ）ネットワーク（具体的には、公衆通信網３０とインターネット３１であり、以下、これらを纏めて、ネットワーク３０，３１と呼ぶ場合がある）内に配置され、コンテンツを記録、保存したコンテンツ・サーバ２０、
（Ｂ）ネットワーク３０，３１内に配置され、コンテンツを記録、保存するパーソナル・ストレージ手段２１、
（Ｃ）情報端末機器１０、並びに、
（Ｄ）コンテンツ表示装置１１、
を用いる。
【００１６】
具体的には、情報端末機器１０は通信手段を備えたパーソナル・コンピュータから成り、コンテンツ表示装置１１は携帯電話から成る。
【００１７】
適切なオペレーション・システム（ＯＳ）を備えたデータベース・サーバから構成、構築されたコンテンツ・サーバ２０及びパーソナル・ストレージ手段２１は、公衆通信網３０を介してインターネット３１内に配置されている。そして、このコンテンツ・サーバ２０は、例えば、音楽といった音声データから成るコンテンツを多数、記録、保存している。また、パーソナル・ストレージ手段２１は、情報端末機器１０の所有者、あるいは、コンテンツ表示装置１１の所有者、あるいは、情報端末機器１０及びコンテンツ表示装置１１の所有者に固有のものである。
【００１８】
以下、実施例１のコンテンツ販売・表示方法を説明する。
【００１９】
［ステップ−１００］
先ず、情報端末機器１０を操作する操作者は、ネットワーク３０，３１を経由してコンテンツ・サーバ２０にアクセスする。具体的には、ＷＷＷブラウザ等を用いて、コンテンツ・サーバ２０を指定するＵＲＬに基づき、コンテンツ・サーバ２０にアクセスする。すると、ネットワーク３０，３１を経由して、コンテンツ・サーバ２０から情報端末機器１０に販売可能なコンテンツに関する情報が送られ、情報端末機器１０の表示装置にその情報が表示される。
【００２０】
［ステップ−１１０］
情報端末機器１０の表示装置に表示された販売可能なコンテンツに関する情報に基づき、操作者は、どのコンテンツを購入するかを決定し、コンテンツ購入の表示（コンテンツ購入の意思表示）を情報端末機器１０からネットワーク３０，３１を経由してコンテンツ・サーバ２０に送出する。併せて、コンテンツ・サーバ２０によって指定された方法（例えば、クレジット・カード番号の入力）に基づき、購入代金の決済を行う。更には、パーソナル・ストレージ手段２１のアドレスをコンテンツ・サーバ２０に送出する。尚、パーソナル・ストレージ手段２１のアドレスをコンテンツ・サーバ２０に予め登録しておいてもよい。
【００２１】
［ステップ−１２０］
コンテンツ購入の表示（コンテンツ購入の意思表示）を情報端末機器１０からネットワーク３０，３１を経由して受領したコンテンツ・サーバ２０は、決済が完了したことを確認した後、購入されたコンテンツをネットワーク３１を経由してパーソナル・ストレージ手段２１に送出し、パーソナル・ストレージ手段２１はこのコンテンツを記録、保存する。以上でコンテンツの販売が完了する。その後、コンテンツ・サーバ２０への情報端末機器１０のアクセスを解く。
【００２２】
［ステップ−１３０］
パーソナル・ストレージ手段２１に記録、保存されたコンテンツをコンテンツ表示装置１１において表示（再生）する場合、コンテンツ表示装置１１を操作する操作者は、ネットワーク３０，３１を経由してパーソナル・ストレージ手段２１にアクセスする。そして、例えば、コンテンツ表示装置１１において、パーソナル・ストレージ手段保持者の識別子、暗証番号等を入力する。コンテンツ表示装置１１は、これらの入力されたパーソナル・ストレージ手段保持者の識別子、暗証番号等を、ネットワーク３０，３１を経由してパーソナル・ストレージ手段２１に送出する。そして、パーソナル・ストレージ手段２１（あるいはパーソナル・ストレージ手段の集合体であるサーバ）が正しい識別子、暗証番号等として認証したならば、パーソナル・ストレージ手段２１に記録、保存されたコンテンツに関する情報が、パーソナル・ストレージ手段２１からネットワーク３０，３１を経由してコンテンツ表示装置１１に送られ、コンテンツ表示装置１１の表示装置にその情報が表示される。
【００２３】
［ステップ−１４０］
コンテンツ表示装置１１の表示装置に表示された表示（再生）可能なコンテンツに関する情報に基づき、操作者は、どのコンテンツを表示（再生）するかを決定し、コンテンツの表示（再生）依頼をコンテンツ表示装置１１からネットワーク３０，３１を経由してパーソナル・ストレージ手段２１に送出する。そして、コンテンツの表示（再生）依頼を受領したパーソナル・ストレージ手段２１は、片方向のストリーミング方式に基づきネットワーク３０，３１を経由してこのコンテンツをコンテンツ表示装置１１に送出し、コンテンツ表示装置１１においてこのコンテンツを表示（再生）する。尚、［ステップ−１３０］及び［ステップ−１４０］におけるコンテンツ表示装置１１の動作は、コンテンツ表示装置１１に予めインストールあるいはダウンロードされたプラグラム等に基づき実行すればよい。
【実施例２】
【００２４】
実施例２は、本発明の第２の態様に係るコンテンツ販売・表示方法に関する。実施例２のコンテンツ販売・表示方法において用いるシステム（装置）の概念図を図１の（Ｂ）に示す。
【００２５】
実施例２のコンテンツ販売・表示方法においては、
（Ａ）ネットワーク３０，３１内に配置され、コンテンツを記録、保存したコンテンツ・サーバ２０、
（Ｂ）ネットワーク３０，３１内に配置され、コンテンツを記録、保存するパーソナル・ストレージ手段２１、
（Ｃ）情報端末機器１０、
（Ｄ）コンテンツ表示装置１１、並びに、
（Ｅ）ネットワーク３０，３１内に配置され、コンテンツ販売可能数量を記録、保存したディストリビュータ・サーバ２２、
を用いる。
【００２６】
具体的には、実施例１と同様に、情報端末機器１０は通信手段を備えたパーソナル・コンピュータから成り、コンテンツ表示装置１１は携帯電話から成る。
【００２７】
適切なオペレーション・システム（ＯＳ）を備えたデータベース・サーバから構成、構築されたコンテンツ・サーバ２０、パーソナル・ストレージ手段２１及びディストリビュータ・サーバ２２は、公衆通信網３０を介してインターネット３１内に配置されている。そして、このコンテンツ・サーバ２０は、例えば、音楽といった音声データから成るコンテンツを多数、記録、保存している。また、パーソナル・ストレージ手段２１は、情報端末機器１０の所有者、あるいは、コンテンツ表示装置１１の所有者、あるいは、情報端末機器１０及びコンテンツ表示装置１１の所有者に固有のものである。ディストリビュータ・サーバ２２は、例えば、コンテンツ販売代理店によって保持、管理、運営されている。
【００２８】
以下、実施例２のコンテンツ販売・表示方法を説明する。尚、予め、コンテンツ・サーバ２０を保持、管理、運営する者と、ディストリビュータ・サーバ２２を保持、管理、運営する者と間には、コンテンツ販売可能数量に関する契約が締結され、コンテンツ販売可能数量がコンテンツ・サーバ２０に記録、保存されているものとする。言い換えれば、ディストリビュータ・サーバ２２を保持、管理、運営する者（例えばコンテンツ販売代理店）が、コンテンツ・サーバ２０を保持、管理、運営する者から、１つのコンテンツにおいて所望の数量を仕入れた状態とする。
【００２９】
［ステップ−２００］
先ず、情報端末機器１０を操作する操作者は、ネットワーク３０，３１を経由してディストリビュータ・サーバ２２にアクセスする。具体的には、ＷＷＷブラウザ等を用いて、ディストリビュータ・サーバ２２を指定するＵＲＬに基づき、ディストリビュータ・サーバ２２にアクセスする。すると、ネットワーク３０，３１を経由して、ディストリビュータ・サーバ２２から情報端末機器１０に販売可能なコンテンツに関する情報が送られ、情報端末機器１０の表示装置にその情報が表示される。
【００３０】
［ステップ−２１０］
情報端末機器１０の表示装置に表示された販売可能なコンテンツに関する情報に基づき、操作者は、どのコンテンツを購入するかを決定し、コンテンツ購入の表示（コンテンツ購入の意思表示）を情報端末機器１０からネットワーク３０，３１を経由してディストリビュータ・サーバ２２に送出する。
【００３１】
［ステップ−２２０］
コンテンツ購入の表示（コンテンツ購入の意思表示）を情報端末機器１０からネットワーク３０，３１を経由して受領したディストリビュータ・サーバ２２は、記録、保存されたコンテンツ販売可能数量に基づき、このコンテンツの販売が可能か判断する。具体的には、記録、保存されたコンテンツ販売可能数量からコンテンツ購入希望数量（例えば「１」）を減じた値が負の値とはならないことを確認する。もしも、減じた値が負の値となる場合、このコンテンツを販売できない旨をネットワーク３０，３１を経由して情報端末機器１０に通知する。一方、このコンテンツの販売が可能な場合、即ち、記録、保存されたコンテンツ販売可能数量からコンテンツ購入希望数量を減じた値が負の値とはならない場合、ディストリビュータ・サーバ２２によって指定された方法（例えば、クレジット・カード番号の入力）に基づき、操作者は、購入代金の決済を行う。更には、パーソナル・ストレージ手段２１のアドレスをディストリビュータ・サーバ２２に送出する。尚、パーソナル・ストレージ手段２１のアドレスをディストリビュータ・サーバ２２に予め登録しておいてもよい。また、記録、保存されたコンテンツ販売可能数量からコンテンツ購入希望数量（例えば「１」）を減じた値が負の値となる場合、ディストリビュータ・サーバ２２は、ディストリビュータ・サーバ２２を保持、管理、運営する者に、その旨の警告を発することが望ましい。
【００３２】
購入代金の決済が完了したならば、ディストリビュータ・サーバ２２は、記録、保存されたコンテンツ販売可能数量からコンテンツ購入希望数量を減じた数量を、新たなコンテンツ販売可能数量として、記録、保存する。そして、ディストリビュータ・サーバ２２からの指示に基づき、コンテンツ・サーバ２０は、購入されたコンテンツをネットワーク３１を経由してパーソナル・ストレージ手段２１に送出し、パーソナル・ストレージ手段２１はこのコンテンツを記録、保存する。以上でコンテンツの販売が完了する。その後、ディストリビュータ・サーバ２２への情報端末機器１０のアクセスを解く。
【００３３】
［ステップ−２３０］
パーソナル・ストレージ手段２１に記録、保存されたコンテンツをコンテンツ表示装置１１において表示（再生）する場合、実施例１の［ステップ−１３０］及び［ステップ−１４０］と同様の操作を行えばよい。
【００３４】
以上、本発明を好ましい実施例に基づき説明したが、本発明はこれらの実施例に限定されるものではない。情報端末機器やコンテンツ表示装置、コンテンツ・サーバ、パーソナル・ストレージ手段、ディストリビュータ・サーバ、ネットワーク等の構成、構造は例示であり、適宜変更することができる。
【００３５】
情報端末機器の所有者とコンテンツ表示装置の所有者は、同一であってもよいし、異なっていてもよい。後者の場合であって、例えば、情報端末機器の所有者がコンテンツ販売店である場合、コンテンツ表示装置の所有者が、情報端末機器の所有者であるコンテンツ販売店を訪問し、このコンテンツ販売店における情報端末機器での操作に基づきコンテンツを購入する形態とすることもできる。
【００３６】
コンテンツ販売可能数量を記録、保存する機能を外したディストリビュータ・サーバをネットワーク内に配置してもよい。この場合には、実施例２の［ステップ−２２０］における、記録、保存されたコンテンツ販売可能数量に基づき、このコンテンツの販売が可能か判断するといった手順を省略すればよい。尚、このような構成において、ディストリビュータ・サーバが、機能上、コンテンツ・サーバに包含されるとみなせば、このような構成は、本発明の第１の態様に係るコンテンツ販売・表示方法に包含される。
【００３７】
あるいは又、実施例２の変形例として、以下の形態を挙げることもできる。即ち、実施例２の［ステップ−２００］においては、ネットワーク３０，３１を経由して、ディストリビュータ・サーバ２２から情報端末機器１０に販売可能なコンテンツに関する情報が送られ、情報端末機器１０の表示装置にその情報が表示される。そして、この際、ディストリビュータ・サーバ２２に記録、保存されたコンテンツ販売可能数量が「０」のコンテンツは、これ以上、販売することができないので、このようなコンテンツに関する情報を情報端末機器１０には送らない形態とすることもできる。また、このような状態となったならば、ディストリビュータ・サーバ２２は、ディストリビュータ・サーバ２２を保持、管理、運営する者に、その旨の警告を発することが望ましい。
【図面の簡単な説明】
【００３８】
【図１】図１の（Ａ）及び（Ｂ）は、実施例１及び実施例２のコンテンツ販売・表示方法において用いるシステム（装置）の概念図である。
【図２】図２は、従来のコンテンツ販売方法において用いられているシステム（装置）の概念図である。
【符号の説明】
【００３９】
１０・・・情報端末機器、１１・・・コンテンツ表示装置、２０・・・コンテンツ・サーバ、２１・・・パーソナル・ストレージ手段、２２・・・ディストリビュータ・サーバ、３０・・・公衆通信網、３１・・・インターネット、３０，３１・・・ネットワーク
【図１】
2006039769.tif 000003
【図２】
2006039769.tif 000004